(57)【要約】【課題】画像処理端末で撮影された撮影画像を時系列で管理することが可能な撮影画像管理システム等を提供する。【解決手段】画像管理サーバ４は、画像処理端末２から受信したExif情報に含まれる時刻情報と、サーバで管理している基準時刻情報との差分である時刻補正情報を算出し、カメラ情報に紐付けて管理するとともに、画像処理端末２から受信したＩＣタグ６のタグＩＤを更にカメラ情報に紐付けて管理する。画像管理サーバ４は、画像処理端末２から受信した撮影画像データに付随するExif情報からカメラ情報を得て、そのカメラ情報に紐付いたタグＩＤを認識し、そのタグＩＤに紐付く位置情報を取得する。そして、画像管理サーバ４は、撮影画像データに付随するExif情報に含まれる撮影時刻を時刻補正情報に基づいて正しい撮影時刻に補正し、撮影画像データに紐付けて、位置情報および補正された撮影時刻とともに管理する。【選択図】図１
2015179937.tif 000002
【特許請求の範囲】
【請求項１】
撮影手段を備える画像処理端末で撮影された撮影画像を管理する画像管理サーバであって、
前記画像処理端末に関する情報の登録を行う登録手段と、
前記撮影画像を受信するごとに前記撮影画像の登録を行う画像管理手段と、
を備え、
前記登録手段は、
前記画像処理端末から、撮影情報を受信する第1の受信手段と、
受信した前記撮影情報に含まれる時刻情報、及び、当該画像管理サーバで管理されている時刻情報から、時刻補正情報を算出する算出手段と、
受信した前記撮影情報に含まれる前記画像処理端末に関する情報、及び、算出した前記時刻補正情報を紐付けて記憶する第１の記憶手段と、を備え、
前記画像管理手段は、
前記画像処理端末から、撮影画像及び付随する撮影情報を受信する第２の受信手段と、
受信した前記撮影情報に含まれる前記画像処理端末に関する情報に紐付く前記時刻補正情報を、前記第１の記憶手段から取得する取得手段と、
取得した前記時刻補正情報に基づいて、受信した前記撮影情報に含まれる時刻情報を、正しい時刻情報に補正する補正手段と、
受信した前記撮像画像、及び、前記正しい時刻情報を紐付けて記憶する第２の記憶手段と、を備える
ことを特徴とする画像管理サーバ。
【請求項２】
前記画像処理端末の所有者の位置情報を取得する位置情報取得手段を更に備え、
前記第２の記憶手段は、前記撮影画像、及び、前記正しい時刻情報に、更に位置情報を紐付けて記憶する
ことを特徴とする画像管理サーバ。
【請求項３】
前記位置情報管理手段は、
前記画像処理端末の所有者の所有する位置情報送信機から、当該位置情報送信機の機器識別子、及び、位置情報を受信する第３の受信手段と、
前記機器識別子、及び、前記位置情報を紐付けて記憶する第３の記憶手段と、を備え、
前記第１の受信手段は、前記機器識別子を更に受信し、
前記第１の記憶手段は、前記画像処理端末に関する情報、及び、前記時刻補正情報に、更に前記機器識別子を紐付けて記憶し、
前記取得手段は、前記画像処理端末に関する情報に紐付く前記機器識別子を、前記第１の記憶手段から更に取得するとともに、当該機器識別子に紐付く前記位置情報を、前記第３の記憶手段から取得する
ことを特徴とする請求項２に記載の画像管理サーバ。
【請求項４】
撮影手段を備える画像処理端末で撮影された撮影画像を管理する画像管理サーバで実行される画像管理方法であって、
前記画像処理端末に関する情報の登録を行う登録ステップと、
前記撮影画像を受信するごとに前記撮影画像の登録を行う画像管理ステップと、
を含み、
前記登録ステップは、
前記画像処理端末から、撮影情報を受信する第1の受信ステップと、
受信した前記撮影情報に含まれる時刻情報、及び、当該画像管理サーバで管理されている時刻情報から、時刻補正情報を算出する算出ステップと、
受信した前記撮影情報に含まれる前記画像処理端末に関する情報、及び、算出した前記時刻補正情報を紐付けて第１の記憶手段に記憶させる第１の記憶ステップと、を含み、
前記画像管理ステップは、
前記画像処理端末から、撮影画像及び付随する撮影情報を受信する第２の受信ステップと、
受信した前記撮影情報に含まれる前記画像処理端末に関する情報に紐付く前記時刻補正情報を、前記第１の記憶手段から取得する取得ステップと、
取得した前記時刻補正情報に基づいて、受信した前記撮影情報に含まれる時刻情報を、正しい時刻情報に補正する補正ステップと、
受信した前記撮像画像、及び、前記正しい時刻情報を紐付けて第２の記憶手段に記憶させる第２の記憶ステップと、を含む
ことを特徴とする画像管理方法。
【請求項５】
コンピュータを、撮影手段を備える画像処理端末で撮影された撮影画像を管理する画像管理サーバとして機能させるためのプログラムであって、
前記コンピュータを、
前記画像処理端末に関する情報の登録を行う登録手段、
前記撮影画像を受信するごとに前記撮影画像の登録を行う画像管理手段、
として機能させ、
前記登録手段は、
前記画像処理端末から、撮影情報を受信する第1の受信手段と、
受信した前記撮影情報に含まれる時刻情報、及び、当該画像管理サーバで管理されている時刻情報から、時刻補正情報を算出する算出手段と、
受信した前記撮影情報に含まれる前記画像処理端末に関する情報、及び、算出した前記時刻補正情報を紐付けて記憶する第１の記憶手段と、を備え、
前記画像管理手段は、
前記画像処理端末から、撮影画像及び付随する撮影情報を受信する第２の受信手段と、
受信した前記撮影情報に含まれる前記画像処理端末に関する情報に紐付く前記時刻補正情報を、前記第１の記憶手段から取得する取得手段と、
取得した前記時刻補正情報に基づいて、受信した前記撮影情報に含まれる時刻情報を、正しい時刻情報に補正する補正手段と、
受信した前記撮像画像、及び、前記正しい時刻情報を紐付けて記憶する第２の記憶手段と、を備える
ことを特徴とするプログラム。
【請求項６】
撮影手段を備える画像処理端末と、前記画像処理端末の所有者の所有する位置情報送信機と、画像管理サーバとが、ネットワークを介して接続される撮影画像管理システムであって、
前記画像処理端末は、
当該画像処理端末に関する情報の登録の際に、撮影情報、及び、前記位置情報送信機の機器識別子を送信する手段と、
撮影画像を撮影するごとに、当該撮影画像及び付随する撮影情報を送信する手段と、
を備え、
前記位置情報送信機は、
当該位置情報送信機の機器識別子、及び、位置情報を送信する手段、
を備え、
前記画像管理サーバは、
前記画像処理端末に関する情報の登録を行う登録手段と、
前記画像処理端末の所有者の位置情報を取得する位置情報取得手段と、
前記撮影画像を受信するごとに前記撮影画像の登録を行う画像管理手段と、
を備え、
前記登録手段は、
前記画像処理端末から、撮影情報、及び、前記位置情報送信機の機器識別子を受信する第1の受信手段と、
受信した前記撮影情報に含まれる時刻情報、及び、当該画像管理サーバで管理されている時刻情報から、時刻補正情報を算出する算出手段と、
受信した前記撮影情報に含まれる前記画像処理端末に関する情報、算出した前記時刻補正情報、及び、前記機器識別子を紐付けて記憶する第１の記憶手段と、を備え、
前記位置情報管理手段は、
前記位置情報送信機から、当該位置情報送信機の機器識別子、及び、位置情報を受信する第３の受信手段と、
前記機器識別子、及び、前記位置情報を紐付けて記憶する第３の記憶手段と、を備え、
前記画像管理手段は、
前記画像処理端末から、撮影画像及び付随する撮影情報を受信する第２の受信手段と、
受信した前記撮影情報に含まれる前記画像処理端末に関する情報に紐付く前記時刻補正情報及び前記機器識別子を、前記第１の記憶手段から取得するとともに、当該機器識別子に紐付く前記位置情報を、前記第３の記憶手段から取得する取得手段と、
取得した前記時刻補正情報に基づいて、受信した前記撮影情報に含まれる時刻情報を、正しい時刻情報に補正する補正手段と、
受信した前記撮像画像、前記正しい時刻情報、及び、取得した前記位置情報を紐付けて記憶する第２の記憶手段と、を備える
ことを特徴とする撮影画像管理システム。
【発明の詳細な説明】
【技術分野】
【０００１】
本発明は、画像処理端末で撮影された撮影画像を管理する撮影画像管理システム等に関するものである。
【背景技術】
【０００２】
近年、スマートフォンや通信装置を備えたデジタルカメラ等の撮影機能および通信機能の両方を備えた多機能携帯端末（画像処理端末）が普及している。その多機能携帯端末の特徴を利用して、例えば、結婚披露宴など、多くの参加者が密集するイベントにおいて、会場で撮影された画像を、無線通信により印刷機に送信し、その場で印刷することができるサービスも実現化されている。
【０００３】
しかしながら、各多機能携帯端末から印刷機に送信される画像点数が非常に多くなってしまった場合、あるいは、画像サイズにより印刷機への画像転送速度が遅くなってしまった場合、印刷物を受け取るまでの待ち時間が長くなってしまい、参加者のサービス利用満足度が低くなってしまう恐れがある。
【０００４】
そこで、例えば、本出願人は、先に、特許文献１を出願し、効率良く画像を印刷する技術を提案している。
【先行技術文献】
【特許文献】
【０００５】
【特許文献１】ＰＣＴ  ＪＰ２０１３／０７４７２７号
【発明の概要】
【発明が解決しようとする課題】
【０００６】
ところで、多機能携帯端末における時計機能は、ユーザによって正確な時刻に調整されていない場合がある。そのように、正確な時刻に調整されていない多機能携帯端末で撮影された撮影画像を、サーバに転送して観賞用（例えば、スライドショー）に整理する場合、時系列でのデータ管理が困難になる課題があった。
【０００７】
また、撮影された位置情報を把握することができれば、より高度な撮影画像のデータ管理を行うことができるが、特許文献１に記載の技術では、撮影画像の位置情報を取得することはできない課題があった。
【０００８】
本発明は、前述した問題点に鑑みてなされたもので、その目的とすることは、画像処理端末で撮影された撮影画像を時系列で管理するとともに、位置情報も管理することが可能な画像管理システムなどを提供することである。
【課題を解決するための手段】
【０００９】
前述した目的を達成するための第１の発明は、撮影手段を備える画像処理端末で撮影された撮影画像を管理する画像管理サーバであって、前記画像処理端末に関する情報の登録を行う登録手段と、前記撮影画像を受信するごとに前記撮影画像の登録を行う画像管理手段と、を備え、前記登録手段は、前記画像処理端末から、撮影情報を受信する第1の受信手段と、受信した前記撮影情報に含まれる時刻情報、及び、当該画像管理サーバで管理されている時刻情報から、時刻補正情報を算出する算出手段と、受信した前記撮影情報に含まれる前記画像処理端末に関する情報、及び、算出した前記時刻補正情報を紐付けて記憶する第１の記憶手段と、を備え、前記画像管理手段は、前記画像処理端末から、撮影画像及び付随する撮影情報を受信する第２の受信手段と、受信した前記撮影情報に含まれる前記画像処理端末に関する情報に紐付く前記時刻補正情報を、前記第１の記憶手段から取得する取得手段と、取得した前記時刻補正情報に基づいて、受信した前記撮影情報に含まれる時刻情報を、正しい時刻情報に補正する補正手段と、受信した前記撮像画像、及び、前記正しい時刻情報を紐付けて記憶する第２の記憶手段と、を備えることを特徴とする画像管理サーバである。
第１の発明によって、画像処理端末で撮影された撮影画像を時系列で管理することが可能となる。
なお、「撮影情報」とは、撮影画像に付随するExif情報等である。
【００１０】
前記画像処理端末の所有者の位置情報を取得する位置情報取得手段を更に備え、前記第２の記憶手段は、前記撮影画像、及び、前記正しい時刻情報に、更に位置情報を紐付けて記憶することが望ましい。
これによって、撮影画像の位置情報を管理することが可能となる。
【００１１】
前記位置情報管理手段は、前記画像処理端末の所有者の所有する位置情報送信機から、当該位置情報送信機の機器識別子、及び、位置情報を受信する第３の受信手段と、前記機器識別子、及び、前記位置情報を紐付けて記憶する第３の記憶手段と、を備え、前記第１の受信手段は、前記機器識別子を更に受信し、前記第１の記憶手段は、前記画像処理端末に関する情報、及び、前記時刻補正情報に、更に前記機器識別子を紐付けて記憶し、前記取得手段は、前記画像処理端末に関する情報に紐付く前記機器識別子を、前記第１の記憶手段から更に取得するとともに、当該機器識別子に紐付く前記位置情報を、前記第３の記憶手段から取得することが望ましい。
これによって、位置情報送信機を介して、撮影画像の位置情報を管理することが可能となる。
なお、「位置情報送信機」とは、例えばＩＣタグ等である。
【００１２】
第２の発明は、撮影手段を備える画像処理端末で撮影された撮影画像を管理する画像管理サーバで実行される画像管理方法であって、前記画像処理端末に関する情報の登録を行う登録ステップと、前記撮影画像を受信するごとに前記撮影画像の登録を行う画像管理ステップと、を含み、前記登録ステップは、前記画像処理端末から、撮影情報を受信する第1の受信ステップと、受信した前記撮影情報に含まれる時刻情報、及び、当該画像管理サーバで管理されている時刻情報から、時刻補正情報を算出する算出ステップと、受信した前記撮影情報に含まれる前記画像処理端末に関する情報、及び、算出した前記時刻補正情報を紐付けて第１の記憶手段に記憶させる第１の記憶ステップと、を含み、前記画像管理ステップは、前記画像処理端末から、撮影画像及び付随する撮影情報を受信する第２の受信ステップと、受信した前記撮影情報に含まれる前記画像処理端末に関する情報に紐付く前記時刻補正情報を、前記第１の記憶手段から取得する取得ステップと、取得した前記時刻補正情報に基づいて、受信した前記撮影情報に含まれる時刻情報を、正しい時刻情報に補正する補正ステップと、受信した前記撮像画像、及び、前記正しい時刻情報を紐付けて第２の記憶手段に記憶させる第２の記憶ステップと、を含むことを特徴とする画像管理方法。
第２の発明によって、画像処理端末で撮影された撮影画像を時系列で管理することが可能となる。
【００１３】
第３の発明は、コンピュータを、撮影手段を備える画像処理端末で撮影された撮影画像を管理する画像管理サーバとして機能させるためのプログラムであって、前記コンピュータを、前記画像処理端末に関する情報の登録を行う登録手段、前記撮影画像を受信するごとに前記撮影画像の登録を行う画像管理手段、として機能させ、前記登録手段は、前記画像処理端末から、撮影情報を受信する第1の受信手段と、受信した前記撮影情報に含まれる時刻情報、及び、当該画像管理サーバで管理されている時刻情報から、時刻補正情報を算出する算出手段と、受信した前記撮影情報に含まれる前記画像処理端末に関する情報、及び、算出した前記時刻補正情報を紐付けて記憶する第１の記憶手段と、を備え、前記画像管理手段は、前記画像処理端末から、撮影画像及び付随する撮影情報を受信する第２の受信手段と、受信した前記撮影情報に含まれる前記画像処理端末に関する情報に紐付く前記時刻補正情報を、前記第１の記憶手段から取得する取得手段と、取得した前記時刻補正情報に基づいて、受信した前記撮影情報に含まれる時刻情報を、正しい時刻情報に補正する補正手段と、受信した前記撮像画像、及び、前記正しい時刻情報を紐付けて記憶する第２の記憶手段と、を備えることを特徴とするプログラムである。
第３の発明を汎用コンピュータにインストールすることによって、第１の発明を得て、第２の発明を実行することができる。
【００１４】
第４の発明は、撮影手段を備える画像処理端末と、前記画像処理端末の所有者の所有する位置情報送信機と、画像管理サーバとが、ネットワークを介して接続される撮影画像管理システムであって、前記画像処理端末は、当該画像処理端末に関する情報の登録の際に、撮影情報、及び、前記位置情報送信機の機器識別子を送信する手段と、
撮影画像を撮影するごとに、当該撮影画像及び付随する撮影情報を送信する手段と、を備え、前記位置情報送信機は、当該位置情報送信機の機器識別子、及び、位置情報を送信する手段、を備え、前記画像管理サーバは、前記画像処理端末に関する情報の登録を行う登録手段と、前記画像処理端末の所有者の位置情報を取得する位置情報取得手段と、前記撮影画像を受信するごとに前記撮影画像の登録を行う画像管理手段と、を備え、前記登録手段は、前記画像処理端末から、撮影情報、及び、前記位置情報送信機の機器識別子を受信する第1の受信手段と、受信した前記撮影情報に含まれる時刻情報、及び、当該画像管理サーバで管理されている時刻情報から、時刻補正情報を算出する算出手段と、受信した前記撮影情報に含まれる前記画像処理端末に関する情報、算出した前記時刻補正情報、及び、前記機器識別子を紐付けて記憶する第１の記憶手段と、を備え、前記位置情報管理手段は、前記位置情報送信機から、当該位置情報送信機の機器識別子、及び、位置情報を受信する第３の受信手段と、前記機器識別子、及び、前記位置情報を紐付けて記憶する第３の記憶手段と、を備え、前記画像管理手段は、前記画像処理端末から、撮影画像及び付随する撮影情報を受信する第２の受信手段と、受信した前記撮影情報に含まれる前記画像処理端末に関する情報に紐付く前記時刻補正情報及び前記機器識別子を、前記第１の記憶手段から取得するとともに、当該機器識別子に紐付く前記位置情報を、前記第３の記憶手段から取得する取得手段と、取得した前記時刻補正情報に基づいて、受信した前記撮影情報に含まれる時刻情報を、正しい時刻情報に補正する補正手段と、受信した前記撮像画像、前記正しい時刻情報、及び、取得した前記位置情報を紐付けて記憶する第２の記憶手段と、を備えることを特徴とする撮影画像管理システムである。
第４の発明によって、画像処理端末で撮影された撮影画像を時系列で管理するとともに、位置情報送信機を介して、撮影画像の位置情報を管理することが可能となる。
【発明の効果】
【００１５】
本発明により、画像処理端末で撮影された撮影画像を時系列で管理するとともに、位置情報も管理することが可能となる。
【図面の簡単な説明】
【００１６】
【図１】本発明の実施の形態に係る撮影画像管理システムの構成例を示す図である。
【図２】発信機の照射エリアを説明する図である。
【図３】画像処理端末のハードウェアの構成例を示す図である。
【図４】画像管理サーバの構成例を示す図である。
【図５】画像管理サーバの機能構成例を示すブロック図である。
【図６】カメラ情報登録処理を説明するフローチャートである。
【図７】位置情報取得処理を説明するフローチャートである。
【図８】撮影画像管理処理を説明するフローチャートである。
【発明を実施するための形態】
【００１７】
以下、図面に基づいて、本発明の実施形態を詳細に説明する。
【００１８】
［本発明の実施の形態］
（撮影画像管理システムの構成・概要）
図１は、本発明の実施の形態に係る撮影画像管理システム１の構成例を示す図である。本実施の形態においては、結婚披露宴会場などのイベント会場において、イベントの参加者が画像処理端末を用いて画像を撮影し、その撮影画像データをサーバで管理するシステムについて説明する。
なお、本実施の形態において、画像処理端末とは、例えば、スマートフォン、カメラ付き携帯電話機、タブレット端末（携帯情報端末）、デジタルカメラ等を含んだ携帯端末を指すものである。
【００１９】
画像処理端末２−１〜２−３のユーザは、イベント会場に入場する際、イベント主催者等より配布されるＩＣタグ６−１〜６−３をそれぞれ所持する。
【００２０】
図１に示すように、撮影画像管理システム１は、画像処理端末２−１〜２−３、ＩＤ発信機３−１〜３−３、画像管理サーバ４、およびＩＣタグ６−１〜６−３がネットワーク５を介して接続されることで構成されている。ネットワーク５は、無線ＬＡＮ（Local  Area  Network）等である。なお、ＩＣタグ６−１〜６−３は、それぞれ画像処理端末２−１〜２−３に接続できる場合には、画像処理端末２−１〜２−３を介してネットワーク５に接続されていてもよい。
【００２１】
画像処理端末２−１〜２−３、ＩＤ発信機３−１〜３−３、ＩＣタグ６−１〜６−３は、任意の数であり、その数は特に問わない。
以下、画像処理端末２−１〜２−３を個々に区別する必要がない場合、単に、画像処理端末２と記載する。また、ＩＤ発信機３−１〜３−３を個々に区別する必要がない場合、単に、ＩＤ発信機３と記載する。また、ＩＣタグ６−１〜６−３を個々に区別する必要がない場合、単に、ＩＣタグ６と記載する。
【００２２】
画像処理端末２は、例えば、ＣＰＵ（Central  Processing  Unit）、ＲＯＭ（Read  Only  Memory）、ＲＡＭ（Random  Access  Memory）、入力部、および表示画面などを実装した携帯型コンピュータである。
【００２３】
画像処理端末２は、ユーザによって所定のアプリケーションが起動され、例えば、Wi-fi接続が指示されると、ネットワーク５を介して画像管理サーバ４に接続する。ユーザは、画像処理端末２の画面に表示される案内（図示せず）に従って、所持しているＩＣタグ６のタグＩＤを入力し、デジタルカメラのシャッタを押下する。この操作に応じて、画像処理端末２は、タグＩＤ、およびExif（Exchangeable image file format）形式の撮影時の条件に関する情報（以下、Exif情報と記載する）を、ネットワーク５を介して画像管理サーバ４に送信する。
【００２４】
また、画像処理端末２は、撮影する毎に、静止画像または動画像をExif情報とともに、ネットワーク５を介して画像管理サーバ４に送信する。
【００２５】
ＩＤ発信機３は、図示しないＣＰＵ、ＲＯＭ、送信部等を備えた小型コンピュータであり、イベント会場内の天井等に設置され、例えば、図２に示すように、半径ａおよび高さｂの照射エリア内で、発信機を一意に識別する発信機ＩＤを常時発信している。この発信機ＩＤに紐付けられた位置情報が画像管理サーバ４に記憶されている。イベント会場内の全ての位置情報を把握することができるように、ＩＤ発信機３は、会場内において、照射エリア間隔で設置されることが望ましい。
【００２６】
ＩＣタグ６は、図示しないＣＰＵ、ＲＡＭ、ＲＯＭ、送受信部等を備えた小型コンピュータであり、ＩＤ発信機３の照射エリアに入ると、発信機ＩＤを受信し、自身のタグＩＤとともに発信機ＩＤを、ネットワーク５を介して、画像管理サーバ４へ送信する。
【００２７】
画像管理サーバ４は、例えば、ＣＰＵ、ＲＯＭ、ＲＡＭ、ＨＤＤ（Hard  Disk  Drive）等を有するコンピュータであり、画像処理端末２のカメラ情報、ＩＣタグ６のタグＩＤ、発信機３の発信機ＩＤ、および発信機ＩＤに紐付く位置情報等を管理している。
【００２８】
画像管理サーバ４は、画像処理端末２から初めて接続された際に送信されてくるExif情報及びタグＩＤを受信すると、Exif情報に含まれる時刻情報から時刻補正情報を算出し、Exif情報に含まれるカメラ情報と、タグＩＤと、時刻補正情報とを紐付けて管理する。
【００２９】
また、画像管理サーバ４は、ＩＣタグ６からＩＤタグ及び発信機ＩＤを受信し、ＩＤタグ及び発信機ＩＤを紐付けて管理する。
【００３０】
また、画像管理サーバ４は、画像処理端末２から撮影画像データ及び付随するExif情報を受信すると、Exif情報に含まれる時刻情報を正しい時刻情報に補正するとともに、Exif情報に含まれるカメラ情報から取得されるタグＩＤを介して位置情報を取得し、撮影画像データと、正しい時刻情報と、位置情報と、タグＩＤとを紐付けて管理する。
【００３１】
（画像処理端末の構成）
図３は、画像処理端末２のハードウェアの構成例を示す図である。尚、図３の構成は、あくまで一例であり、用途、目的に応じて様々な構成を採ることが可能である。
【００３２】
画像処理端末２は、制御部２１、記憶部２２、通信制御部２３、入力部２４、表示部２５、および撮影部２６などが、バス２７を介して接続される。
【００３３】
制御部２１は、ＣＰＵ、ＲＯＭ、ＲＡＭ等で構成される。制御部２１は、記憶部２２に記憶されたプログラムに基づいて所定の処理を行い、通話機能、ブラウザ機能、メール機能、および撮影機能などを実現する。
【００３４】
記憶部２２は、フラッシュメモリ（Flash Memory）等で構成され、制御部２１が実行するプログラム、プログラム実行に必要なデータ、ＯＳ等を格納するとともに、通信制御部２３経由で提供されたデータ等を記憶する。
【００３５】
通信制御部２３は、通信制御装置、通信ポート等を有し、画像処理端末２とネットワーク５間の通信を媒介する通信インターフェースであり、ネットワーク５を介して、他のコンピュータ又は他の画像処理端末との音声通信やデータ通信の制御を行う。
【００３６】
入力部２４は、ボタンやタッチパネルなどで構成され、操作指示、動作指示、データ入力等を行う。
表示部２５は、液晶パネル等のディスプレイ装置であり、制御部２１から供給される情報を表示する。
入力部２４および表示部２５は、タッチパネルディスプレイのように、一体となっていても良い。
【００３７】
撮影部２６は、デジタルスチルカメラ等からなり、制御部２１の制御の下、被写体を撮影する。
【００３８】
（画像管理サーバの構成）
図４は、画像管理サーバ４の構成例を示す図である。尚、図４の構成はあくまで一例であり、用途、目的に応じて様々な構成を採ることが可能である。
【００３９】
画像管理サーバ４を実現するコンピュータは、制御部３１、記憶部３２、メディア入出力部３３、通信制御部３４、入力部３５、表示部３６、周辺機器Ｉ／Ｆ（インターフェース）部３７等が、バス３８を介して接続される。
【００４０】
制御部３１は、ＣＰＵ、ＲＯＭ、ＲＡＭ等で構成される。
【００４１】
ＣＰＵは、記憶部３２、ＲＯＭ、記録媒体等に格納されるプログラムをＲＡＭ上のワークメモリ領域に呼び出して実行し、バス３８を介して接続された各部を駆動制御し、画像管理サーバ４が行う後述する処理を実現する。
ＲＯＭは、不揮発性メモリであり、コンピュータのブートプログラムやＢＩＯＳ（Basic Input/Output System）等のプログラム、データ等を恒久的に保持している。
ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００４２】
記憶部３２は、ＨＤＤ（ハードディスクドライブ）であり、制御部３１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部３１により必要に応じて読み出されてＲＡＭに移され、ＣＰＵに読み出されて各種の手段として実行される。
【００４３】
メディア入出力部３３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部３４は、通信制御装置、通信ポート等を有し、コンピュータとネットワーク５間の通信を媒介する通信インターフェースであり、ネットワーク５を介して、他のコンピュータ間との通信制御を行う。
【００４４】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。表示部３６は、ＣＲＴモニタ、液晶パネル等のディスプレイ装置、ディスプレイ装置と連携してコンピュータのビデオ機能を実現するための論理回路等（ビデオアダプタ等）を有する。
【００４５】
周辺機器Ｉ／Ｆ（インターフェース）部３７は、コンピュータに周辺機器を接続させるためのポートであり、周辺機器Ｉ／Ｆ部３７を介してコンピュータは周辺機器とのデータの送受信を行う。
周辺機器Ｉ／Ｆ部３７は、ＵＳＢ（Universal Serial Bus）やＩＥＥＥ（The Institute of
Electrical and Electronics Engineers）１３９４やＲＳ−２３２Ｃ等で構成されており、通常複数の周辺機器Ｉ／Ｆを有する。周辺機器との接続形態は有線、無線を問わない。
バス３８は、各装置間の制御信号、データ信号等の授受を媒介する経路である。
【００４６】
図５は、画像管理サーバ４の機能構成例を示すブロック図である。図５に示す機能部のうちの少なくとも一部は、図４の制御部３１により所定のプログラムが実行されることによって実現される。
【００４７】
受信部４１は、画像処理端末２から受信した撮影画像データ、Exif情報及びタグＩＤを、管理情報算出部４２へ出力するとともに、ＩＣタグ６から受信したタグＩＤ及び発信機ＩＤを、管理情報算出部４２へ出力する。
【００４８】
管理情報算出部４２は、カメラ情報登録処理、位置情報取得処理、及び、画像管理処理の各処理において異なる動作を行う。
【００４９】
管理情報算出部４２は、カメラ情報登録処理においては、Exif情報及びタグＩＤを入力する。そして、管理情報算出部４２は、Exif情報に含まれる時刻情報と、画像管理サーバ４で管理している基準時刻情報との差分である時刻補正情報を算出する。そして、管理情報算出部４２は、Exif情報に含まれるカメラ情報と、タグＩＤと、時刻補正情報とを紐付けて、データベース管理部４３を介して、カメラ情報管理データベース５２へ記憶させる。
【００５０】
管理情報算出部４２は、位置情報取得処理においては、タグＩＤ及び発信機ＩＤを入力し、タグＩＤと発信機ＩＤとを紐付けて、データベース管理部４３を介して、ＩＣタグ管理データベース５３へ記憶させる。
【００５１】
管理情報算出部４２は、画像管理処理においては、撮影画像データ及びExif情報を入力する。そして、管理情報算出部４２は、Exif情報に含まれるカメラ情報及び時刻情報を取得する。そして、管理情報算出部４２は、データベース管理部４３を介して、カメラ情報管理データベース５２から、取得したカメラ情報に対応するタグＩＤと時刻補正情報とを取得する。
そして、管理情報算出部４２は、取得した時刻情報に、取得した時刻補正情報を加えて、正しい時刻情報を算出する。
【００５２】
次に、管理情報算出部４２は、データベース管理部４３を介して、ＩＣタグ管理データベース５３から、取得したタグＩＤに対応する発信機ＩＤを取得し、発信機管理データベース５１から、取得した発信機ＩＤに対応する位置情報を取得する。
そして、管理情報算出部４２は、撮影画像データ、正しい時刻情報、タグＩＤ、及び、位置情報を紐付けて、データベース管理部４３を介して、撮影画像管理データベース５４に記憶させる。
【００５３】
データベース管理部４３は、管理情報算出部４２からの要求に基づき、発信機管理データベース５１、カメラ情報管理データベース５２、ＩＣタグ管理データベース５３、及び、撮影画像管理データベース５４の各データベースに対して入出力を行う。
【００５４】
発信機管理データベース５１は、図５に示すように、少なくとも、発信機ＩＤ５１Ａおよび位置情報５１Ｂを紐付けて記憶する。これらの情報は、予め記憶されるものである。
発信機ＩＤ５１Ａは、ＩＤ発信機３を一意に識別するための情報である。
位置情報５１Ｂは、ＩＤ発信機３が設置されている場所を示す情報である。
【００５５】
カメラ情報管理データベース５２は、図５に示すように、少なくとも、カメラ情報５２Ａ、タグＩＤ５２Ｂ、および時刻補正情報５２Ｃを紐付けて記憶する。
カメラ情報５２Ａは、撮影画像データに付随するExif情報に含まれるデジタルカメラに関するカメラ情報（例えば、メーカ名、機種名等）である。
タグＩＤ５２Ｂは、ＩＣタグ６を一意に識別するための情報である。
時刻補正情報５２Ｃは、Exif情報に含まれる時刻情報と、画像管理サーバ４で管理されている基準時刻情報との差分情報（例えば、＋３０秒）であり、これは、画像処理端末２で管理されている時刻と、画像管理サーバ４で管理されている時刻との差を表すものである。
【００５６】
ＩＣタグ管理データベース５３は、図５に示すように、少なくとも、タグＩＤ５３Ａおよび発信機ＩＤ５３Ｂを紐付けて記憶する。
タグＩＤ５３Ａは、ＩＣタグ６を一意に識別するための情報である。
発信機ＩＤ５３Ｂは、ＩＤ発信機３を一意に識別するための情報である。
【００５７】
撮影画像管理データベース５４は、図５に示すように、少なくとも、撮影画像データ５４Ａ、撮影時刻５４Ｂ、タグＩＤ５４Ｃ、および位置情報５４Ｄを紐付けて記憶する。
撮影画像データ５４Ａは、画像処理端末２で撮影されたＪＰＥＧ等のフォーマットの画像データである。
撮影時刻５４Ｂは、撮影画像データ５４Ａの正しい撮影時刻（基準時刻情報に基づいて補正された撮影時刻）である。
タグＩＤ５４Ｃは、撮影画像データ５４Ａを撮影した画像処理端末２に対応するＩＣタグ６のタグＩＤ５２Ｂである。
位置情報５４Ｄは、タグＩＤ５４Ｃと発信機ＩＤ（５３Ｂ、５１Ａ）を介して紐付く位置情報５１Ｂである。
【００５８】
（カメラ情報登録処理）
図６は、画像処理端末２に内蔵されたデジタルカメラのカメラ情報を画像管理サーバに登録する処理を説明するフローチャートである。
【００５９】
はじめに、ユーザは、イベント会場に入場した際に、イベント主催者より配布されるＩＣタグ６を所持し、画像処理端末２のカメラ情報登録の案内を受ける。その案内に従って、ユーザは、画像処理端末２へＩＣタグ６のタグＩＤを入力する。なお、ＩＣタグ６が、例えば、画像処理端末２に装着可能なものである場合には、画像処理端末２が、装着されたＩＣタグ６からタグＩＤを読み取るようにしてもよい。
【００６０】
次に、ユーザが画像処理端末２に対してWi-fi接続を指示すると、ステップＳ１において、画像処理端末２の制御部２１は、ネットワーク５を介して画像管理サーバ４に接続する。
【００６１】
ステップＳ２において、画像処理端末２の制御部２１は、ユーザにより、内蔵するデジタルカメラのシャッタ（図示せず）が押下されたか否かを判定し、シャッタが押下されるまで待機する。ここでのシャッタ押下は、Exif情報を送信するための操作であり、被写体撮影とは異なる。
【００６２】
ステップＳ２において、画像処理端末２の制御部２１は、シャッタが押下されたと判定すると、ステップＳ３に進み、入力された（または読み取られた）タグＩＤ、および、Exif情報を、ネットワーク５を介して画像管理サーバ４に送信する。
【００６３】
ステップＳ４において、画像管理サーバ４の制御部３１は、ネットワーク５を介して画像処理端末から送信されてきたタグＩＤおよびExif情報を受信する。
ステップＳ５において、画像管理サーバ４の制御部３１は、ステップＳ４の処理で受信したExif情報からカメラ情報（例えば、メーカ名、機種名等）および時刻情報を取得する。
【００６４】
ステップＳ６において、画像管理サーバ４の制御部３１は、ステップＳ５の処理で取得した時刻情報と、サーバで管理している基準時刻情報との差分（例えば、＋３０秒）である時刻補正情報を算出する。
【００６５】
ステップＳ７において、画像管理サーバ４の制御部３１（データベース管理部４１）は、ステップＳ４の処理で受信したタグＩＤ、ステップＳ５の処理で取得したカメラ情報、および、ステップＳ６の処理で算出した時刻補正情報を、カメラ情報管理データベース５２に登録する。
【００６６】
（位置情報取得処理）
図７は、ＩＣタグ６から画像管理サーバ４が位置情報を取得する処理を説明するフローチャートである。
【００６７】
ＩＤ発信機３は、図２に示すように、発信機を一意に識別する発信機ＩＤを、所定の照射エリア内に向け常時発信している。
ステップＳ１１において、ＩＣタグ６のＣＰＵは、ＩＤ発信機３で発信された発信機ＩＤを、通信制御部（図示しない）を介して受信する。
ステップＳ１２において、ＩＣタグ６のＣＰＵは、ステップＳ１１の処理で受信した発信機ＩＤを、ＩＣタグ６のタグＩＤとともにネットワーク５を介して画像管理サーバ４に送信する。その後、ステップＳ１１に戻り、上述した処理を繰り返し実行する。
【００６８】
ステップＳ１３において、画像管理サーバ４の制御部３１は、ＩＣタグ６から、タグＩＤと発信機ＩＤを受信する。
ステップＳ１４において、画像管理サーバ４の制御部３１は、受信したＩＣタグと発信機ＩＤとを紐付けて、ＩＣタグ管理データベース５３に登録する。
【００６９】
すなわち、ＩＣタグ６は、イベント会場内の所在場所によって異なるＩＤ発信機３から、異なる発信機ＩＤを受信し、タグＩＤとともに、画像管理サーバ４に送信する。画像管理サーバ４は、受信したタグＩＤ及び発信機ＩＤを、ＩＣタグ管理データベース５３へ登録し、必要に応じて、タグＩＤに対応する発信機ＩＤに紐付られた位置情報を、発信機管理データベース５１から取得することで、そのＩＣタグ６を所持するユーザ（画像処理端末２）の所在を確認することができる。
【００７０】
（画像管理処理）
図８は、イベント会場内において撮影された画像を管理する処理を説明するフローチャートである。
【００７１】
ステップＳ２１において、画像処理端末２の制御部２１は、ユーザにより撮影が行われたか否かを判定し、撮影が行われるまで待機する。ステップＳ２１において、画像処理端末２の制御部２１は、撮影が行われたと判定すると、ステップＳ２２に進み、撮影画像データを、ネットワーク５を介して画像管理サーバ４に送信する。
【００７２】
ステップＳ２３において、画像管理サーバ４の制御部３１は、画像処理端末２からネットワーク５を介して送信されてきた撮影画像データを受信する。
ステップＳ２４において、画像管理サーバ４の制御部３１は、受信した撮影画像データに付随するExif情報からカメラ情報及び時刻情報を取得する。
ステップＳ２５において、画像管理サーバ４の制御部３１は、取得したカメラ情報に対応する時刻補正情報及びタグＩＤを、カメラ情報管理データベース５２から取得する。
【００７３】
ステップＳ２６において、画像管理サーバ４の制御部３１は、ステップＳ２４で取得した時刻情報に、ステップＳ２５で取得した時刻補正情報を加えて、正しい時刻情報を算出する。
ステップＳ２７において、画像管理サーバ４の制御部３１は、取得したタグＩＤに対応する発信機ＩＤを、ＩＣタグ管理データベース５３から取得して、取得した発信機ＩＤに対応する位置情報を、発信機管理データベースから取得する。
【００７４】
ステップＳ２８において、画像管理サーバ４の制御部３１は、ステップＳ２３で受信した撮影画像データと、ステップＳ２５で取得したタグＩＤと、ステップＳ２６で算出した正しい時刻情報と、ステップＳ２７で取得した位置情報とを紐付けて、撮影画像管理データベース５４に登録する。
【００７５】
［本発明の実施の形態における効果］
１．以上のように、画像処理端末２から初めて接続された際に送信されてくるExif情報に含まれる時刻情報と、画像管理サーバ４で管理している基準時刻情報との差分を算出し、時刻補正情報として管理することで、画像処理端末２で撮影された撮影画像データの撮影時刻を容易に、基準時刻に合わせた正しい時刻に補正することができる。
２．画像処理端末２のユーザにＩＣタグ６を所持させることで、撮影場所の位置情報を容易に取得することができる。
３．撮影画像データ、基準時刻に合わせた正しい撮影時刻、撮影場所の位置情報、及び、タグＩＤを紐付けて時系列で管理することによって、後に、観賞用（例えば、スライドショー）に整理する場合にも、有効なデータ群として扱うことができる。
【００７６】
［変形例］
本発明の実施形態は、前述のものに限られず、その趣旨を逸脱しない範囲で変更可能である。
例えば、画像管理処理において、画像管理サーバ４は、ステップＳ２５において、カメラ情報のみに基づいて、カメラ情報管理データベース５２から、時刻補正情報及びタグＩＤを取得したが、カメラ情報のみによって、カメラ情報管理データベース５２のレコードが一意に識別できない場合には、Exif情報に含まれる時刻情報と、画像管理サーバ４で管理している時刻情報とから時刻補正情報を算出し、カメラ情報と時刻補正情報とに基づいて、カメラ情報管理データベース５２から、タグＩＤを取得してもよい。
【００７７】
また、画像管理処理において、画像処理端末２は、撮影画像データ（及び付随するExif情報）を画像管理サーバ４へ送信するが（ステップS２２）、画像処理端末２は、カメラ情報登録処理において既知となっているタグＩＤも合せて送信し、画像管理サーバ４は、受信したタグＩＤを用いて、ステップＳ２３以降の処理を行ってもよい。
【００７８】
また、以上においては、画像処理端末２毎に基準時刻情報との差分である時刻補正情報を管理するようにしたが、これに限らず、例えば、画像管理サーバ４から、各画像処理端末２に時刻返答信号を送信し、各画像処理端末２から一斉返答されてくる時刻を時系列に並べることで、端末間の時刻差を管理するようにしてもよい。
また、画像管理サーバ４から、各画像処理端末２に時刻設定用信号を送信し、強制的に各画像処理端末２の時刻を合わせるようにしてもよい。
【００７９】
また、画像処理端末２（撮影画像データ）の位置情報を取得する方法として、ＩＤ発信機とＩＣタグを用いたが、この方法に限られず、位置情報を特定できる方法であれば何を用いてもよい。
【００８０】
以上、添付図面を参照しながら、本発明に係る画像管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８１】
１………画像管理システム
２−１〜２−３………画像処理端末
３−１〜３−３………ＩＤ発信機
４………画像管理サーバ
５………ネットワーク
６−１〜６−３………ＩＣタグ
２１………制御部
２６………撮影部
３１………制御部
５１………発信機管理データベース
５２………カメラ情報データベース
５３………撮影画像管理データベース
【図１】
2015179937.tif 000003
【図２】
2015179937.tif 000004
【図３】
2015179937.tif 000005
【図４】
2015179937.tif 000006
【図５】
2015179937.tif 000007
【図６】
2015179937.tif 000008
【図７】
2015179937.tif 000009
【図８】
2015179937.tif 000010